(57)【要約】【課題】携帯無線電話機のキー配列面部のケース表面部に表示された文字・記号を照光可能とする。【解決手段】フロントケース２の照光キー６の表面部が配列されたキー配列面部を、フロントケース２を構成する遮光性のフロントケース本体７ａと透明部品７ｂの積層構造とし、透明部品７ｂの文字・記号が印刷された文字・記号部１０に相当する位置のフロントケース本体７ａに光通路１７となる開口部を設ける。照光キー６の光源となるＬＥＤ１４から発せられる光は、照光キー６を照らすと共に、照光方向１８で示す矢印に沿って進み、光通路１７を介し、透明部品７ｂを透過して、文字・記号部１０を照光する。【選択図】        図４
2004193891.tif 000002
【特許請求の範囲】
【請求項１】
照光キー、上記照光キーを保持する筐体、上記筐体内に保持され上記照光キーを照光させる発光手段を備えた携帯無線電話機において、上記筐体は、上記照光キーの表面部が配列されたキー配列面部に、文字・記号を表示した文字・記号部を有し、上記文字・記号部は、上記発光手段によって照光されることを特徴とする携帯無線電話機。
【請求項２】
上記照光キーと上記文字・記号部は、上記発光手段の発光で同時に照光されることを特徴とする請求項１記載の携帯無線電話機。
【請求項３】
上記筐体は、本体となる遮光性部品と、上記遮光性部品の上記キー配列面部上に貼り付けられた透過性部品によって構成され、上記文字・記号部に位置する上記遮光性部品に光通路となる開口部を設け、上記発光手段から発する光を、上記光通路を介して上記透過性部品に透過させ、上記文字・記号部を照光させることを特徴とする請求項１記載の携帯無線電話機。
【請求項４】
上記文字・記号部に表示される上記文字・記号は、印刷により形成表示されることを特徴とする請求項１記載の携帯無線電話機。
【請求項５】
上記筐体内に導光板を配し、上記発光手段から発する光を上記文字・記号部へ導くことを特徴とする請求項１記載の携帯無線電話機。
【請求項６】
上記筐体は、上記キー配列面部側に配置される透過性材料よりなる透過性フロントケース、その裏面側のリアケースによって構成され、上記透過性フロントケースの表面は、インモールド成形膜により覆われ、上記インモールド成形膜は、上記文字・記号部に位置する部分を透過性の膜で、他の部分を遮光性の膜で構成したことを特徴とする請求項１記載の携帯無線電話機。
【請求項７】
インモールド成形膜のうち上記透過性の膜を、表示しようとする文字・記号の筆跡に相当する形状とすることで、上記文字・記号を表示することを特徴とする請求項６記載の携帯無線電話機。
【請求項８】
上記筐体は、上記文字・記号部に位置する部分を、透過性樹脂によって、上記発光手段からの光を透過可能に構成し、他の部分を遮光性樹脂によって構成した２色成形によるものであることを特徴とする請求項１記載の携帯無線電話機。
【請求項９】
上記発光手段は、有色の光を発光することを特徴とする請求項１記載の携帯無線電話機。
【請求項１０】
照光キー、上記照光キーを保持する筐体、上記筐体内に保持され上記照光キーを照光させる発光手段を備えた携帯無線電話機において、上記筐体は、上記照光キーの表面部が配列されたキー配列面部に、文字・記号を表示した文字・記号部を有し、上記文字・記号は、発光・蓄光性の塗料で印刷表示されることを特徴とする携帯無線電話機。
【発明の詳細な説明】
【０００１】
【発明の属する技術分野】
この発明は、携帯無線電話機に関するものである。
【０００２】
【従来の技術】
従来の携帯無線電話機では、マルチファンクションキーを操作するための指標を筐体表面に設け、その指標を照光させる技術が開示されている（例えば、特許文献１参照）。
【０００３】
【特許文献１】
特開２００１−２５１４０１号公報
【０００４】
【発明が解決しようとする課題】
携帯無線電話機は小型化している。従ってキーも小型化することが望まれている。また、インターネット情報取り入れ等の、キーの多機能化により、小型化されたキーの表面に表示しきれなくなった文字・記号を、外装筐体（以下、ケースとする。）の表面に表示させる必要が生じている。
しかしながら、従来の携帯無線電話機は、ケース上に表示した文字は照光できない構造となっていた。
【０００５】
この発明は、上記のような問題点を解消するためになされたもので、ケースのキー配列面部に表示された文字・記号を照光キーと共に照光可能とし、携帯無線電話機の操作性を高めることを目的とする。
【０００６】
【課題を解決するための手段】
この発明に係わる携帯無線電話機は、照光キー、上記照光キーを保持する筐体、上記筐体内に保持され上記照光キーを照光させる発光手段を備えた携帯無線電話機において、上記筐体は、上記照光キーの表面部が配列されたキー配列面部に、文字・記号を表示した文字・記号部を有し、上記文字・記号部は、上記発光手段によって照光されるものである。
【０００７】
【発明の実施の形態】
実施の形態１．
以下、この発明の実施の形態１を図１ないし図４を用いて説明する。
携帯無線電話機１は、図１にその正面図を示すように、正面側にケース（筐体、外装筐体に相当する。）のうちフロントケース２が配されており、その表面上部には液晶画面３が配置され、ケース上方にはアンテナ４が、フロントケース２の中央部にはマルチファンクションキー５ａが、マルチファンクションキー５ａの両サイドにはキー５ｂが、下部には押しボタン式の照光キー６が行列配置されている。
【０００８】
フロントケース２は、遮光性樹脂からなるフロントケース本体（遮光性部品に相当する。）７ａと、照光キー６の配置されたキー配列面部に、フロントケース本体７ａを覆うように配置された透明部品（透過性部品に相当する。）７ｂから構成されている。キー配列面部では、フロントケース本体７ａと透明部品７ｂとは積層構造となっている。その他、フロントケース２の表面上部にはレシーバ８が、下部にはスピーカ９が配置されている。
【０００９】
次に、照光キー６が配置されたキー配列面部の拡大正面図を図２に示す。この図に示すように、照光キー６の表面に表示しきれなくなった文字・記号が、フロントケース２の透明部品７ｂの表面に表示されている。文字・記号が表示された部分を示す文字・記号部１０は、後述する構成とすることによって照光可能である。
図２では、フロントケース２の表面部に表示されているのはひらがなであるが、それは一例であり、必要に応じて、様々な文字・記号を表示することができる。
また、図１、図２で示したキー配列は、一例を示すものであり、それ以外の配列とすることが可能であることは言うまでもない。
【００１０】
図３は、携帯無線電話機を部品毎に示す分解斜視図であり、図３に示すように、主に、携帯無線電話機１は次のような部品により構成されている。液晶画面３やレシーバ８、スピーカ９が設けられ、キー配列面部には各種キーのトップ（表面部）を露出させるための開口部が設けられたフロントケース２、マルチファンクションキー５ａ、キー５ｂ、照光キー６を配列した光透過性キー配列板１１、各種キーの下部と接するパッド部１５、キー間に位置するように配置され、光源となるＬＥＤ（発光ダイオード、発光手段に相当する。）１４が設けられたプリント回路基板１２、アンテナ４を配置した遮光性樹脂からなるリアケース１３によって構成されている。
【００１１】
図４は、図２のＡ−Ａ線に沿う断面図であり、この図４に示すように、フロントケース２の文字・記号部１０に、ＬＥＤ１４からの光を照射できるように、遮光性の樹脂によって構成されるフロントケース本体（遮光性部品）７ａの文字・記号部１０に相当する部分には、光通路１７となる開口部が設けられている。また、文字・記号部１０には、文字・記号が印刷により表示されている。照光時には、文字・記号部１０は、光通路１７の開口形状に光るようになる。光通路１７の開口形状については、円形、楕円形、四角形など、様々な形状とすることができる。
【００１２】
ＬＥＤ１４の光は照光方向１８で示す矢印に沿って発せられる。この光は光通路１７を介して、透明部品７ｂに透過させることで、文字・記号部１０を照光する。ＬＥＤ１４は、半透明の照光キー６を照光させるための光源を兼ねているため、文字・記号部１０と、照光キー６とは同時に照光される。
なお、リアケース１３側には、図示するように、バッテリー１６が配置されている。
【００１３】
このように、フロントケース２のキー配列面部の文字・記号部１０を、選択的に照光可能に構成することで、暗所における文字・記号部の確認を容易にし、携帯電話無線機１の操作性を高めることが可能となる。
また、照光キー６の光源となるＬＥＤ１４を、文字・記号部１０の光源として用いるため、別途、専用の光源を設ける必要がなく、また、電力消費も増大することはない。
なお、透明部品７ｂとして、透明な樹脂を用いる他、半透明で、透過性の樹脂を用いることも可能である。
上述の例では、ストレートタイプの携帯無線電話機について述べたが、二つ折りタイプの携帯無線電話機に応用可能であることは言うまでもない。
【００１４】
実施の形態２．
次に、この発明の実施の形態２について、図５を用いて説明する。図５は実施の形態１を示す図２のＡ−Ａ線に沿う断面図に相当する断面図である（もっとも、実施の形態１と実施の形態２とでは、その構成が一部異なっている。）。この実施の形態２によれば、実施の形態１において示した構成に加え、さらに、図５に示すように、ＬＥＤ１４から発せられる光を、効率良く文字・記号部１０に導くために、文字・記号部１０の下部の、フロントケース本体７ａとキー配列板１１との間に導光板１９を配置する。この導光板１９は、例えば、行列配置された照光キー６の間を埋めるような、一枚のプレート状に成形することができる。また、照光キー６の列間、または行間に帯状のものを配置しても良い。
【００１５】
このように、導光板１９を配置することで、複数個配置される、照光対象となる文字・記号部１０を、光源となるＬＥＤ１４からの距離に関係なくより均一に照光することができる。また、ＬＥＤ１４からの照光方向２０を調節可能であるため、効率良く文字・記号部１０を照光させることができる。
【００１６】
実施の形態３．
次に、この発明の実施の形態３について図６を用いて説明する。図６は実施の形態１を示す図２のＡ−Ａ線に沿う断面図に相当する断面図である（もっとも、実施の形態１と実施の形態３とでは、その構成が一部異なっている。）。上述の実施の形態１および実施の形態２では、フロントケース２が遮光性部品のフロントケース本体７ａと、透明部品７ｂによって構成される例を示したが、この実施の形態３では、フロントケース２は、その本体が透過性の樹脂、例えば透明樹脂によりなる透明フロントケース（透過性フロントケースに相当する。）７ｃによって構成され、その透明フロントケース７ｃの表面は、インモールド成形膜７ｄによって覆われている。インモールド成形膜７ｄは、文字・記号部１０を透過性の膜で、他の部分を遮光性の膜で構成している。
なお、透明フロントケース７ｃを、透明樹脂ではなく、半透明の透過性樹脂によって形成することも可能である。
【００１７】
文字・記号部１０に表示する文字・記号は、印刷等の方法で、インモールド成形面上に形成表示する。また、透明フロントケース７ｃの表面に予め印刷表示しておくことも可能であり、その場合は、インモールド成形膜７ｄの文字・記号部１０の光透過率を高めるようにする。
また、リアケース１３については、遮光性の部品で構成すれば良い。
【００１８】
業界においては、インモールド成形された遮光性の膜は箔と呼ばれ、またその成形方法については、一般的な方法であるため、説明を省略する。
このように、透明フロントケース７ｃを用い、その表面にインモールド成形膜７ｄを成膜する構成とし、文字・記号部１０を透過性の膜、他の部分を遮光性の膜とすることで、文字・記号部１０を照光可能とすることができる。この場合、フロントケース２の表面で、照光される部分は、インモールド成形膜７ｄのうち、透過性の膜に相当する部分全体となる。
【００１９】
さらに、上述の例では、文字・記号は印刷により形成表示すると述べたが、その他の表示形態として、文字・記号の筆跡に相当する部分だけを照光させるように構成することも可能である。その場合は、インモールド成形の際に、透過性の膜を、表示する文字・記号の筆跡の形状に形成する。他の部分は遮光性の膜によって覆う。このように構成することで、文字・記号の筆跡だけを、照光時に浮かび上がらせるように表示することができる。このような表示方法を採る場合は、文字・記号を印刷によって、別途形成する必要はない。
【００２０】
このように、フロントケース２の本体となる透明フロントケース７ｃの表面にインモールド形成膜７ｄを成膜する方法によれば、少ない構成部品で、安価に、文字・記号部１０を選択的に照光可能とすることができる。
【００２１】
実施の形態４．
次に、この発明の実施の形態４について図７を用いて説明する。図７は実施の形態１を示す図２のＡ−Ａ線に沿う断面図に相当する断面図である（もっとも、実施の形態１と実施の形態４とでは、その構成が一部異なっている。）この実施の形態４では、図７に示すように、フロントケース２は、その本体が遮光性樹脂によりなる遮光性フロントケース（遮光性樹脂に相当する。）７ｅによって構成され、文字・記号部１０に相当する部分が光を透過する樹脂よりなる透過性部品（透過性樹脂に相当する。）７ｆによって構成された、２色成形のものである。文字・記号は、透過性部品７ｆの表面に印刷表示される。
【００２２】
図７では、透過性部品７ｂの断面形状は凸状であるが、その底部は、行列配置された照光キー６の間を埋めるように一続きに構成することも可能である。また、その断面形状の凸状の突き出した先端の面に、文字・記号が印刷表示されている。その他、ここで示した透過性部品７ｆの形状に関わらず、同様にＬＥＤ１４からの光を透過させて、文字・記号部１０を照光させることが可能となる形状に変形して用いることも可能であることは言うまでもない。
また、透過性部品７ｆは、透明または半透明の樹脂によって形成することができる。
【００２３】
なお、上記の２色成形によるフロントケース２は、例えば、まず透過性部品７ｆを、透過性樹脂を鋳型に流し込んで鋳型成形するなどして所定の形状に成形し、次に、得られた透過性部品７ｆの上に遮光性樹脂を流し込んで遮光性フロントケース７ｅを所定の形状に成形することで得ることができる。
【００２４】
実施の形態５．
上述の実施の形態１〜実施の形態４において示した携帯無線電話機１に対し、その構成部品であるＬＥＤ（発光手段）１４に、有色のものを用いることもできる。ＬＥＤ１４を有色発光させることによって、照光キー６およびフロントケース２のキー配列面の文字・記号部１０を、同時に、有色に照光させることができ、デザイン性を向上させることが可能となる。
【００２５】
ＬＥＤ１４を有色発光させる場合は、赤・青・緑の各色のＬＥＤを切り替えることで色を変化させ、例えば七色に照光させることができる。その他、ＬＥＤ１４が無色の光を発するように構成し、ＬＥＤ１４と照光キー６および文字・記号部１０との間に有色のフィルムを介在させることで、有色発光させることも可能である。
【００２６】
実施の形態６．
上述の実施の形態１〜実施の形態５では、携帯無線電話機１の内部に配置されるＬＥＤ１４から発する光を用いて、フロントケース２の文字・記号部１０を照光する例について述べた。この実施の形態６では、遮光性の樹脂によって構成されたフロントケース２のキー配列面部に、文字・記号を発光・蓄光性の塗料を用いて印刷して文字・記号部１０を構成する場合について述べる。
この構成では、従来の携帯無線電話機のフロントケースのキー配列面部に、発光・蓄光性の塗料を用いて文字・記号を印刷形成するだけで、特別な部品等を必要としないため、少ない構成部品で、安価に、フロントケース２上の文字・記号部１０を確認しやすい携帯無線電話機１を得ることが可能である。
なお、発光・蓄光性の塗料とは、例えば、時計等の文字盤に用いられる塗料を言う。
【００２７】
【発明の効果】
以上のように、この携帯無線電話機によれば、照光キー、上記照光キーを保持する筐体、上記筐体内に保持され上記照光キーを照光させる発光手段を備えた携帯無線電話機において、上記筐体は、上記照光キーの表面部が配列されたキー配列面部に、文字・記号を表示した文字・記号部を有し、上記文字・記号部は、上記発光手段によって照光されるように構成したため、上記発光手段によって筐体上に表示された文字・記号部を照光キーと共に容易に確認することができ、携帯無線電話機の操作性を高めることが可能である。
【図面の簡単な説明】
【図１】この発明の実施の形態１による携帯無線電話機を示す正面図である。
【図２】この発明の実施の形態１による携帯無線電話機のキー配列面部の拡大正面図である。
【図３】この発明の実施の形態１による携帯無線電話機の分解斜視図である。
【図４】図２のＡ−Ａ線に沿う断面図である。
【図５】この発明の実施の形態２による携帯無線電話機の図２のＡ−Ａ線に沿う断面に相当する断面図である。
【図６】この発明の実施の形態３による携帯無線電話機の図２のＡ−Ａ線に沿う断面に相当する断面図である。
【図７】この発明の実施の形態４による携帯無線電話機の図２のＡ−Ａ線に沿う断面に相当する断面図である。
【符号の説明】
１  携帯電話無線機                    ２  フロントケース
３  液晶画面                          ４  アンテナ
５ａ  マルチファンクションキー        ５ｂ  キー
６  照光キー                          ７ａ  フロントケース本体
７ｂ  透明部品                        ７ｃ  透明フロントケース
７ｄ  インモールド成形膜              ７ｅ  遮光性フロントケース
７ｆ  透過性部品                      ８  レシーバ
９  スピーカ                        １０  文字・記号部
１１  キー配列板                      １２  プリント回路基板
１３  リアケース                      １４  ＬＥＤ
１５  パッド部                        １６  バッテリー
１７  光通路                          １８、２０  照光方向
１９  導光板。
【図１】
2004193891.tif 000003
【図２】
2004193891.tif 000004
【図３】
2004193891.tif 000005
【図４】
2004193891.tif 000006
【図５】
2004193891.tif 000007
【図６】
2004193891.tif 000008
【図７】
2004193891.tif 000009